(57)【要約】【課題】釣り人が釣魚を直接販売するにあたって、信頼性を向上する。【解決手段】商品となる釣魚１１ａ，１１ｂ，１１ｃを、販売業者から不特定の顧客である消費者へ、漁協、市場、卸業者などを介さず、宅配便などを使用して直接販売するにあたって、販売業者としては、漁協、卸業者、食品加工会社などの企業ではなく、不特定の一般の釣り人を主な対象とし、仲介業者２０は、サーバ２を備え、所謂ネット通販を行う。ただし、本発明では、販売業者が、企業ではなく、個人（釣り人）となることから、顧客が、販売業者の信頼性や商品の品質などに抱く不安感を払拭するため、釣り人は、第１の端末装置１ａ，１ｂ，１ｃから、釣魚１１ａ，１１ｂ，１１ｃの写真１２ａ，１２ｂ，１２ｃならびに撮影日時および撮影位置の情報を付加して、サーバ２にアップする。したがって、顧客は、個人の釣り人が釣り上げた鮮魚を、不安無く、高い信頼度で直送してもらうことができる。【選択図】図１
2018014016.tif 000002
【特許請求の範囲】
【請求項１】
釣り人に所持され、商品となる釣魚の画像を撮影するとともに、その撮影画像に、少なくとも撮影日時および撮影位置の情報を付加したデータを作成し、アップすることができる第１の端末装置と、
前記第１の端末装置からアップされたデータを、通信回線を介して公開するサーバと、
顧客に所持され、前記サーバから公開されたデータを表示し、該顧客に購入希望があれば、その希望を前記サーバに送信する第２の端末装置とを含み、
前記サーバは、前記商品の発送のために、前記購入希望のあった顧客の、送付先を含む個人情報を前記第１の端末装置へ送信するとともに、前記商品の売買に伴う前記顧客に対する課金および前記釣り人に対する支払いの管理を行うことを特徴とする釣魚の直販システム。
【請求項２】
前記第１の端末装置は、スマートフォンであることを特徴とする請求項１記載の釣魚の直販システム。
【請求項３】
前記第１の端末装置またはサーバは、前記撮影位置情報の精度を調整可能であることを特徴とする請求項１または２記載の釣魚の直販システム。
【請求項４】
前記サーバは、前記第１の端末装置から前記データのアップがあると、魚種毎に準備されている地図画面に、そのアップされた釣果の釣り場を表示して公開することを特徴とする請求項１〜３の何れか１項に記載の釣魚の直販システム。
【請求項５】
前記サーバは、前記魚種毎に準備されている地図画面において、都道府県別に、販売されている件数を表示することを特徴とする請求項４記載の釣魚の直販システム。
【請求項６】
前記販売されている件数の表示が行われる魚種は、鮎であることを特徴とする請求項５記載の釣魚の直販システム。
【請求項７】
前記第２の端末装置からサーバへ、少なくとも魚種、数量、購入日および希望価格の情報を送信することで所望する魚の予約を行い、前記サーバでは、前記予約の条件を満たすデータがアップされると、前記第２の端末装置に報知することを特徴とする請求項１〜６の何れか１項に記載の釣魚の直販システム。
【請求項８】
前記第１の端末装置は、前記サーバへ、発送確認を送信し、
前記サーバは、前記第１の端末装置へ、前記購入希望のあった顧客の個人情報を送信してから、予め定める時間が経過しても前記発送確認を受信しない場合は、キャンセル扱いとして、前記第１および第２の端末装置へ通知することを特徴とする請求項１〜７の何れか１項に記載の釣魚の直販システム。
【請求項９】
前記サーバまたは第１の端末装置には、予め販売禁止品目が登録されていることを特徴とする請求項１〜８の何れか１項に記載の釣魚の直販システム。
【発明の詳細な説明】
【技術分野】
【０００１】
本発明は、釣魚の直販を行うための新規なシステムに関する。
【背景技術】
【０００２】
鮮魚を、業者から、不特定の顧客である消費者へ、漁協、市場、卸業者などを介さず、宅配便などを使用して直接販売することが以前から行われている。特許文献１は、そのような鮮魚販売システムで、予め会員登録した顧客が、仲介業者によるインターネット上の仮想店舗を閲覧して、気に入った魚を発注するものである。
【０００３】
上述の従来技術は、水揚げされた鮮魚の画像を、リアルタイムで、仲介業者である鮮魚販売会社のサーバに送信している。そして、顧客は、実際の商品の画像を確認して発注するので、顧客の希望する商品と実際の商品とのギャップが少なく、購入（顧客）側および販売（業者）側にとって好適なシステムである。
【先行技術文献】
【特許文献】
【０００４】
【特許文献１】特開２００３−２９６６０１号公報
【発明の概要】
【発明が解決しようとする課題】
【０００５】
しかしながら、上述の従来技術では、販売業者としては、漁協、卸業者、食品加工会社などの企業であり、一定の信頼を有する。一方、一般の釣り人の釣果は、個人でホームページを開設したりしている人以外では、このような流通経路に乗らず、自身で消費したり、懇意の飲食店に卸したり、無償で知人等に配ったりする程度で、広く一般の消費者に販売する例は殆ど無いのが実情である。
【０００６】
一方、個人の釣り人の釣果では、通常の流通経路には乗らないような稀少な魚、たとえば品種が珍しかったり、水揚げが少なかったり、サイズが大きかったりするものもあり、これらが一般消費者（顧客）に届くと、非常に喜ばれる可能性がある。また、釣り人にとっては、これまであまり収入にならなかった釣果を換金でき、釣りの旅費に充てたり、道具の購入や維持管理に当てたりすることができ、釣り人にとってもメリットがある。
【０００７】
この点、上述の従来技術では、水揚げされた鮮魚の画像がリアルタイムでアップされているが、個人の釣り人の場合、それだけでは、消費者（顧客）に対する決定的な信頼度に欠けるという問題がある。
【０００８】
本発明の目的は、個人の釣り人から、顧客が、不安無く、高い信頼度で鮮魚を直送してもらうことができる釣魚の直販システムを提供することである。
【課題を解決するための手段】
【０００９】
本発明の釣魚の直販システムは、釣り人に所持され、商品となる釣魚の画像を撮影するとともに、その撮影画像に、少なくとも撮影日時および撮影位置の情報を付加したデータを作成し、アップすることができる第１の端末装置と、前記第１の端末装置からアップされたデータを、通信回線を介して公開するサーバと、顧客に所持され、前記サーバから公開されたデータを表示し、該顧客に購入希望があれば、その希望を前記サーバに送信する第２の端末装置とを含み、前記サーバは、前記商品の発送のために、前記購入希望のあった顧客の、送付先を含む個人情報を前記第１の端末装置へ送信するとともに、前記商品の売買に伴う前記顧客に対する課金および前記釣り人に対する支払いの管理を行うことを特徴とする。
【００１０】
上記の構成によれば、商品となる釣魚を、販売業者から、不特定の顧客である消費者へ、市場や卸業者などを介さず、宅配便などを使用して直接販売するにあたって、前記販売業者としては、卸業者や食品加工会社などの企業ではなく、不特定の一般の釣り人を主な対象とし、仲介業者は、サーバを備え、所謂ネット通販を行う。ただし、本発明では、前記販売業者が、企業ではなく、個人（釣り人）となることから、顧客が、販売業者の信頼性や商品の品質などに抱く不安感を払拭するため、釣り人は、第１の端末装置から、商品（釣魚）の写真ならびに撮影日時および撮影位置の情報を付加して、前記仲介業者のサーバにアップする。
【００１１】
したがって、第２の端末装置でそれらの情報を確認し、注文することで、顧客は、個人の釣り人が釣り上げた鮮魚を、不安無く、高い信頼度で直送してもらうことができる。これによって、流通が単純になって鮮度が良くなるとともに、価格も手頃になり、また通常の流通経路には乗らないような稀少な魚（品種が珍しかったり、水揚げが少なかったり、サイズが大きかったり等）を入手することができる。また、釣り人にとっては、これまでは無償で知人等に配っていた釣果を、換金することができる。こうして、釣り人が釣り上げた魚を、有効に希望者に届けることができるシステムを構築することができる。
【００１２】
また、本発明の釣魚の直販システムでは、前記第１の端末装置は、スマートフォンであることを特徴とする。
【００１３】
上記の構成によれば、スマートフォンは、ネットワークから信頼できる時刻情報を取得している。しかもＧＰＳ機能をＯＮすることで、自動的に撮影位置情報を付加することができる。
【００１４】
したがって、前記顧客（消費者）の信頼の元となる撮影日時および撮影位置の情報の精度を高めることができ、極めて好適である。
【００１５】
さらにまた、本発明の釣魚の直販システムでは、前記第１の端末装置またはサーバは、前記撮影位置情報の精度を調整可能であることを特徴とする。
【００１６】
上記の構成によれば、釣り人が魚を釣り上げた場所で撮影を行ってしまっても、公開される撮影位置情報を加減することができる。具体的には、ＧＰＳにおける通常の１０ｍ程度の精度とするか、ずっと低い１００ｍ程度の精度とするか、或いはもっと低い精度とするか、などを、第１の端末装置またはサーバのソフトウェアによって調整することができる。
【００１７】
これによって、精度が高ければ位置の信頼性を向上できるものの、釣り人にとって重要な穴場の位置なども公開してしまうことになるのに対して、精度を落すことで、たとえば、〜川や〜湾で捕れた物であることは間違いない程度に、公開する釣り場の位置の範囲を調整することができる。
【００１８】
好ましくは、前記サーバを管理する仲介業者において作成されて予め配布され、前記釣り人から顧客への魚の配送に、当該システムの名称が付された通凾が使用される。
【００１９】
上記の構成によれば、配達を当該システムの名称を付した専用通凾で行うことで、個人の釣り人の釣果も、所定の信頼性を持って顧客へ届けることができる。
【００２０】
これによって、商品価値が向上したり、リピータ需要が増えたり、或いは顧客の知人への紹介による新規需要を期待したりすることができる。
【００２１】
また、本発明の釣魚の直販システムでは、前記サーバは、前記第１の端末装置から前記データのアップがあると、魚種毎に準備されている地図画面に、そのアップされた釣果の釣り場（産地）を表示して公開することを特徴とする。
【００２２】
上記の構成によれば、釣り人が販売を希望して、第１の端末装置から釣果の写真をアップすると、地図画面に、そのアップされた釣り場（産地）を、光の点滅などで表示する。
【００２３】
したがって、顧客が所望する魚種であっても、所望する釣り場（産地）であるかどうかや、複数の釣り場（産地）がある場合、最も好ましい釣り場（産地）を選択できたりするようになる。たとえば、日本海側と太平洋側とで、同じ魚種でも品質が全く異なり、その品質が季節によって入れ替わったりもする。そのため、顧客は、重要な釣り場（産地）の情報を考慮して発注を検討することができ、利便性を向上することができる。
【００２４】
さらにまた、本発明の釣魚の直販システムでは、前記サーバは、前記魚種毎に準備されている地図画面において、都道府県別に、販売されている件数（釣り人の数）を表示することを特徴とする。
【００２５】
上記の構成によれば、同じ魚種でも、どこが旬である（釣り人が多い）のかを判定することができる。
【００２６】
また、本発明の釣魚の直販システムでは、前記販売されている件数（釣り人の数）の表示が行われる魚種は、鮎であることを特徴とする。
【００２７】
上記の構成によれば、鮎の場合、生息している川（食料となる苔）によって、味が大きく異なるので、都道府県別の件数（釣り人の人気）を表示することで、顧客の産地選択に有効である。
【００２８】
さらにまた、本発明の釣魚の直販システムでは、前記第２の端末装置からサーバへ、少なくとも魚種、数量、購入日および希望価格の情報を送信することで所望する魚の予約を行い、前記サーバでは、前記予約の条件を満たすデータがアップされると、前記第２の端末装置に報知することを特徴とする。
【００２９】
上記の構成によれば、第２の端末装置、すなわち顧客側から、サーバ、すなわち仲介業者側へ予約を行っておくことが可能になり、第１の端末装置、すなわち釣り人側から予約条件を満たす釣果がアップされると、第２の端末装置、すなわち顧客側に報知する。
【００３０】
したがって、たとえば飲食店が目玉商品に用いるために予約を入れておいたり、個人の顧客が来客などのために仕入れをしたり、或いは個人の顧客が初物を所望したりする需要に答えることができ、システムの利便性を向上することができる。
【００３１】
また、本発明の釣魚の直販システムでは、前記第１の端末装置は、前記サーバへ、発送確認を送信し、前記サーバは、前記第１の端末装置へ、前記購入希望のあった顧客の個人情報を送信してから、予め定める時間が経過しても前記発送確認を受信しない場合は、キャンセル扱いとして、第１および第２の端末装置へ通知することを特徴とする。
【００３２】
上記の構成によれば、サーバは、第１の端末装置へ購入希望のあった顧客の個人情報を送信してから、つまり買い手が付いて（送り状のデータを送って）から、所定時間、たとえば４８時間以内に発送が行われないと、キャンセル扱いとして、たとえば（クレジットカードでの）顧客の決裁を戻したり、釣り人に対する支払いを停止したりする。
【００３３】
したがって、鮮度が落ちた商品の発送を防止することができるとともに、可及的速やかに、つまり鮮度のいい状態での発送を促進することができる。また、システムの信頼性を高めることもできる。
【００３４】
さらにまた、本発明の釣魚の直販システムでは、前記サーバまたは第１の端末装置には、予め販売禁止品目（魚種）が登録されていることを特徴とする。
【００３５】
上記の構成によれば、ふぐなどの毒性の有る魚が、仲介業者が関知しないうちに流通してしまうことを未然に防止することができる。なお、内臓の処理や血抜きなどでも同様に、それらを処理したことを前提に取引が行われるようにしてもよい。
【００３６】
また好ましくは、前記第２の端末装置、すなわち顧客は、前記第１の端末装置、すなわち釣り人の評価を行い、前記サーバは、その評価を公開する。
【００３７】
上記の構成によれば、評価は、購入を考えている他の顧客の参考となり、好適である。
【００３８】
さらにまた好ましくは、前記サーバは、釣り人毎の売り上げ数および／または金額の集計結果、ならびに魚種毎の売り上げを、ランキング形式で公開する。
【００３９】
上記の構成によれば、これもシステムの信頼度の指標とすることができる。
【発明の効果】
【００４０】
本発明の釣魚の直販システムは、以上のように、釣魚を、販売業者から、不特定の顧客である消費者へ直接販売するにあたって、前記販売業者としては不特定の一般の釣り人を主な対象とし、そのため、顧客が、販売業者の信頼性や商品の品質などに不安感を抱く可能性があるので、釣り人は、商品（釣魚）の写真に、撮影日時および撮影位置情報を付加して、仲介業者のサーバにアップする。
【００４１】
それゆえ、顧客は、それらの情報を確認し、注文することで、個人の釣り人が釣り上げた鮮魚を、不安無く、高い信頼度で直送してもらうことができる。
【図面の簡単な説明】
【００４２】
【図１】本発明の実施の一形態に係る釣魚の直販システムの構成を示すブロック図である。
【図２】前記直販システムにおける商品紹介画面の一例を示す図である。
【図３】前記直販システムにおける商品の販売登録の手順を示すフローチャートである。
【図４】前記直販システムにおける商品紹介画面の一例を示す図である。
【発明を実施するための形態】
【００４３】
図１は、本発明の実施の一形態に係る釣魚の直販システムの構成を示すブロック図である。本システムは、大略的に、釣り場１０ａ，１０ｂ，１０ｃ（以下、総称する際は、参照符号１０で示す）にて釣り人に所持される第１の端末装置１ａ，１ｂ，１ｃ（以下、総称する際は、参照符号１で示す）と、本システムのサービス提供会社２０に設置されるサーバ２と、顧客が所持する第２の端末装置３ａ，３ｂ，３ｃ，３ｄ（以下、総称する際は、参照符号３で示す）と、それらを接続するネットワーク４とを備えて構成される。ネットワーク４には、有線無線のネットワークが適宜組合わせられている。
【００４４】
図１では、第１の端末装置１および第２の端末装置３ｄはスマートフォンを、第２の端末装置３ａはパーソナルコンピュータを、第２の端末装置３ｂはノートパソコンを、第２の端末装置３ｃはタブレット端末を例にしているが、これら以外の情報通信端末が使用されてもよく、また図面の簡略化のためにシステム構成の一部しか示されていないが、多数の端末がネットワーク４に接続され、サービス提供会社２０と契約している。サーバ２も、たとえば魚種毎に設けられていたりしてもよく、また顧客管理、受注発送、課金・支払いなどの管理のために専用のサーバがさらに設けられていてもよい。
【００４５】
本システムでは、商品としての釣魚１１ａ，１１ｂ，１１ｃ（以下、総称する際は、参照符号１１で示す）を、販売業者から、不特定の顧客である消費者へ、市場や卸業者などを介さず、宅配便などを使用して直接販売するにあたって、前記販売業者としては、卸業者や食品加工会社などの企業ではなく、不特定の一般の釣り人を主な対象とし、仲介業者であるサービス提供会社２０は、サーバ２を備え、所謂ネット通販を行う。そして注目すべきは、本発明では、前記販売業者が、主として個人（釣り人）となることから、顧客が、販売業者の信頼性や商品（釣魚１１）の品質などに抱く不安感を払拭するため、販売業者は、第１の端末装置１から、自身の識別情報（釣人ＩＤ）に、商品（釣魚１１）の写真１２ａ，１２ｂ（以下、総称する際は、参照符号１２で示す）および希望売価の情報だけでなく、撮影日時および撮影位置情報を付加して、サーバ２にアップすることである。写真１２は、データ量が小さければ、動画であってもよい。
【００４６】
図２は、そのアップされた一覧画面の例を示す図である。魚種は鮎で、〇〇県の〇〇川産で、３種類販売中であることを示している。画面１３ａは、釣り人（ＩＤ）が□□漁協によるもので、釣り場１０ａとしては、前記〇〇川流域の〇１地区であり、捕獲（撮影）日時は２０１６年８月１日であり、サイズは２０〜２５ｃｍ、魚の状態は活けで、販売数量は１００匹まで、８００円を１匹当りの販売希望価格としてアップしていることを示している。同様に、画面１３ｂは、釣り人（ＩＤ）が△△名人によるもので、釣り場１０ａとしては、前記〇〇川流域の〇２ダムの下であり、捕獲（撮影）日時は２０１６年８月１日であり、比較的小さいサイズの１２〜１８ｃｍで、活けで、２１匹まで、３００円を販売希望価格としてアップしていることを示している。画面１３ｃは、釣り人（ＩＤ）が☆☆名人によるもので、釣り場１０ｃとしては、前記〇〇川流域の〇３町であり、捕獲（撮影）日時は２０１６年７月２０日であり、サイズは１０〜２１ｃｍ、冷凍で、５匹まで、４００円を販売希望価格としてアップしていることを示している。
【００４７】
ここで、サーバ２には、各釣り人を識別することができる個人情報が、第１の端末装置１のナンバーに対応して予め登録されている。また、第１の端末装置１は、スマートフォンであり、そのカメラ機能を利用して写真１２を撮影することができるとともに、ネットワーク４から信頼できる時刻情報を取得している。さらにまた、スマートフォンは、ＧＰＳ機能をＯＮすることで、定期的に現在地（釣り場１０）の位置情報を取得することができる。こうして、釣り人は、サーバ２のホームページにログインし、後述するようにして、先ず写真１２を送信すると、そのメタデータとして撮影時刻情報およびＧＰＳで取得された現在地（釣り場１０）の位置情報も添付して送信され、追って、魚種、数量および価格情報等を送信する。
【００４８】
その際、サーバ２には、予め販売禁止品目（魚種）が登録されており、その品目であると、第１の端末装置１へ警告を発する。或いは、前記販売禁止品目（魚種）は、第１の端末装置１にダウンロードされる本システムのアプリケーションプログラムに格納されていることで、該第１の端末装置１側で前記販売禁止品目（魚種）を判断してもよい。そうすることで、ふぐなどの毒性の有る魚が、仲介業者（サービス提供会社２０）が関知しないうちに流通してしまうことを未然に防止することができる。なお、内臓の処理や血抜きなどでも同様に、それらを処理したことを前提に取引が行われるようにしてもよい。
【００４９】
本システムで販売する魚種としては、たとえば以下の通りである。淡水魚では、鮎、アマゴ、ヤマメ、イワナ、サツキマス、サクラマス、アメマス、ヒメマス、オショロコマ、ブラウントラウトである。海水魚では、口太グレ、尾長グレ、石鯛、フエフキ鯛、コロ鯛、シマアジ、ヤイトカツオ、ヒラマサ、ブリ、イシガレイ、マコガレイ、マトウ鯛、イサキ、カワハギ、真鯛、アマダイ、キス、グルクン、タカベ、クエ、アラ、アオリイカ、スルメイカ、ヤリイカ、タコ、メイチダイ、スズキ、平スズキ、カサゴ、ホッケ、アナゴ、ソイ、アズキマス、コショウ鯛である。一方、前記販売禁止品目（魚種）は、毒魚または毒を蓄積する危険性が高い、大型カンパチ、大型ヒラマサ、石垣鯛である。
【００５０】
第２の端末装置３からサーバ２のホームページにログインした顧客は、図２の画面１３ａ，１３ｂ，１３ｃ（以下、総称する際は、参照符号１３で示す）を確認し、購入を希望する場合には、アップダウンカウンタ１５ａ，１５ｂ，１５ｃで数量を指定し、釦１４ａ，１４ｂ，１４ｃ（以下、総称する際は、参照符号１４で示す）を操作することで、発注処理を行うことができる。
【００５１】
発注処理されると、サーバ２は、受注があったことや数量などとともに、発送に必要な顧客の個人情報を第１の端末装置１へ送信する。顧客の個人情報を受信した釣り人は、発送伝票を作成するとともに、商品（釣魚１１）を真空パックやジップロック（登録商標）などで包装し、さらに発泡スチロールの箱などに詰めて、発送伝票を貼付けて宅配便で発送する。サーバ２は、たとえば釣り人が宅配便営業所にて送り状を作成した時点、つまり発送が確認された時点で、顧客への課金、たとえば予め登録されているクレジットカードで購入代金の決済を行う。この発送が行われた時点で、サーバ２は、各釣り人への支払金額の集計を行い、定められた日に、或いは逐次、口座等への送金を行う。
【００５２】
その発送確認は、第１の端末装置１からサーバ２へ送信される（或いは宅配業者からサーバ２へ送信されてもよい）。これに対して、サーバ２は、第１の端末装置１へ、購入希望のあった顧客の個人情報を送信してから、つまり買い手が付いて（送り状のデータを送って）からの状況を監視しており、所定時間、たとえば４８時間以内に、上記のような発送確認が行われないと、キャンセル扱いとする。そうすることで、鮮度が落ちた商品の発送を防止することができるとともに、可及的速やかに、つまり鮮度のいい状態での発送を促すことができる。また、システムの信頼性を高めることもできる。
【００５３】
以上のように、本システムによれば、顧客は、第２の端末装置３で、商品である釣魚１１の写真１２だけでなく、釣り人や釣った日時、さらには釣り場１０の情報までも確認した上で注文を行うことができるので、顧客は、主として個人の釣り人が釣り上げた釣魚１１を、不安無く、高い信頼度で直送してもらうことができる。これによって、流通が単純になって鮮度が良くなるとともに、価格も手頃になり、また通常の流通経路には乗らないような稀少な魚（品種が珍しかったり、水揚げが少なかったり、サイズが大きかったり等）を入手することができる。また、釣り人にとっては、これまでは無償で知人等に配っていた釣果を、換金することができる。こうして、釣り人が釣り上げた釣魚１１を、有効に希望者に届けることができるシステムを構築することができる。
【００５４】
また、本システムでは、第１の端末装置１は、カメラ機能を有するとともに、ネットワーク４から信頼できる時刻情報を取得しており、しかもＧＰＳ機能をＯＮすることで、自動的に撮影位置の情報を付加することができるスマートフォンであるので、釣り人にとっては、１台の携帯端末で総ての処理を行うことができ、利便性が高いとともに、顧客（消費者）にとっては、信頼の元となる撮影日時および撮影位置の情報の精度を高め、またそれらのデータは改竄できないために、極めて好適である。
【００５５】
ここで、第１の端末装置１には、上述のような本システムのアプリケーションプログラムが、サーバ２から予めダウンロードされて本システムの利用が可能になる。そのプログラムには、前記の希望価格や商品説明の記入などのためのテンプレートや、写真１２の添付機能ならびに日時情報や撮影位置情報の添付機能が備えられている。この内、撮影位置情報の添付機能においては、精度を調整可能であることが好ましい。これは、釣り人が魚（釣魚１１）を釣り上げた場所（釣り場１０）で撮影を行ってしまっても、公開される撮影位置情報を加減できるようにするためである。具体的には、第１の端末装置１は、ＧＰＳにおける通常の１０ｍ程度の精度とするか、ずっと低い１００ｍ程度の精度とするか、或いはもっと低い精度とするか、などを、ソフトウェアによって調整することである。
【００５６】
たとえば、図１および図２の例では、〇〇川流域で、〇１地区（画面１３ａ）、〇２ダムの下（画面１３ｂ）、〇３町（画面１３ｂ）程度の開示である。そうすることで、精度が高ければ位置の信頼性を向上できるものの、釣り人にとって重要な穴場の位置なども公開してしまうことになるのに対して、精度を落すことで、たとえば、〜川や〜湾で捕れた物であることは間違いない程度に、公開する釣り場１０の位置の範囲を調整することができる。なお、このような位置精度の調整は、サーバ２側で行うようにしてもよい。
【００５７】
また、本システムの運営には、宅配業者の寄与が大きい。そこで、第１の端末装置１がサーバ２から顧客の個人情報を受信すると、梱包荷物とともに、釣り人は宅配業者の営業所に出向き、或いは配送員に集荷を依頼し、宅配業者側の情報処理端末や配送員が所持する携帯端末に前記個人情報を転送し、宅配業者側で前記発送伝票を作成することが好ましい。そうすることで、発送伝票作成の手間が無くなるとともに、送料なども簡単に割り出すことができる。
【００５８】
またその場合、サービス提供会社２０は、宅配業者との間で、本システムに予め決められ、サービスの名称を付した通凾を作成し、各釣り人や漁協近くなどの主な営業所へ配布しておくことが好ましい。こうして、配達を当該システムの名称を付した専用通凾で行うことで、個人の釣り人の釣果１１も、所定の信頼性を持って顧客へ届けることができ、商品価値が向上したり、リピータ需要が増えたり、或いは顧客の知人への紹介による新規需要を期待したりすることができる。
【００５９】
前記専用通凾は、発泡スチロール製の箱や、或いは、図２の画面１３ｃのように、釣果１１を冷凍で発送する場合には、段ボールの箱を使用することができる。冷蔵の場合の鮮度保持用の氷は、コンビニエンスストアなどで適宜調達することができ、或いは、図２の画面１３ａのように、釣り人が漁協などから融通してもらったりしてもよい。冷凍の場合、冷凍焼けを防止するために、販売は冷凍から６ヶ月以内の商品とすることが好ましい。また、冷凍の場合、写真１２は、梱包（冷凍）状態の写真となることもある。
【００６０】
以上、本システムの概略を説明したが、図３を参照して、販売業者である釣り人による販売登録の手順について説明する。前述のように、釣り人は、ステップＳ１で写真１２を撮影し、ステップＳ２で示すように、第１の端末装置１から、サーバ２にアクセスし、マイページで、自身の識別情報（釣人ＩＤ）に、商品（釣魚１１）の写真１２を送信する。すると、ステップＳ３で示すように、写真１２に付随するメタデータである撮影日時および撮影位置の情報も、サーバ２に送信される。
【００６１】
すると、サーバ２は、ステップＳ４において、撮影日時の情報から、販売可能かどうかを判断し、つまり撮影から前記４８時間を経過していないかどうかを判断し、経過している場合にはステップＳ５で販売登録を拒否し、経過していない場合にはステップＳ６のテンプレートなどによる入力画面とする。入力画面では、残りの情報、具体的には、魚種、希望売価（単価）、数量、漁獲地、販売者コメントなどの情報を記入する。記入されると、ステップＳ７で、前記図２で示すような販売画面となって、販売が開始される。漁獲地には、前記ＧＰＳで取得された高精度な位置がそのまま反映されてもよいが、前述のように、範囲を広くする処理が行われてもよい。
【００６２】
また、図４を参照して、発注方法の具体例を示す。顧客は、第２の端末装置３からサーバ２のホームページにアクセスする。すると、図４で示すようなトップ画面が表示される。図４の例では、上段Ａ１が旬の魚（図４の場合は鮎）の広告となっている。下段Ａ２は、その旬の魚の販売状況である。ここで、顧客が購入を希望する魚が広告の魚（鮎）と異なる場合は、先ず釦Ａ３，Ａ４によって、希望する魚が淡水魚であるか、海水魚であるかが選択され、選択されると、図示しない魚種選択画面となる。
【００６３】
魚種が選択されると、図４で示すように、下段Ａ２に地図が表示され、販売情報がアップされている県には、点滅表示が行われる。その点滅する県を参照符号Ａ５で示すようにクリックすると（図４では、和歌山県をクリックしている）、参照符号Ａ６で示す販売状況の一覧となり（図４では４つの地域の魚が、現在販売中であることを表している）、地域を指定すると、前述の図２で示すような、販売画面１３の一覧となる。図２の一覧画面は、新着情報から順に並べられたり、単価や数量が大きい順で並べられたり、或いはオークションの注目商品のように、出品手数料が割り増しされていたり、画面１３に目立つための装飾が施されている順で並べられるなど、所定の規則で並べられている。また、図４は鮎を例として、釣り場（産地）には河川名を表示しているが、湖の名前や、代表的な地域の名前でもよい。特に海水魚の場合は、漁港や、漁場（〜沖）などでもよい。
【００６４】
顧客が注文の釦１４を操作すると、ログイン画面となり、自身の識別情報（ＩＤ）の入力を行った後、数量や配達希望を入力して注文完了となる。なお、ログインは、ホームページにアクセスした時点で行うようにされていてもよいことは、勿論である。
【００６５】
このように、釣り人が販売を希望して、第１の端末装置１から釣果１１の写真１２をアップすると、地図画面に、そのアップされた釣り場１０（産地）を、光の点滅などで表示することで、顧客が所望する魚種であっても、所望する釣り場（産地）であるかどうかや、複数の釣り場（産地）がある場合、最も好ましい釣り場（産地）を選択できたりするようになる。たとえば、日本海側と太平洋側とで、同じ魚種でも品質が全く異なり、その品質が季節によって入れ替わったりもする。そのため、顧客が、重要な釣り場１０（産地）の情報を考慮して発注を検討できることで、利便性を向上することができる。
【００６６】
また、上述のように魚種毎に地図画面を準備するにあたって、都道府県別に、販売されている件数（釣り人の数）を表示することが好ましい（図４では、４つの地域で、３件、５件、２件、１件である）。そうすることで、同じ魚種でも、どこが旬である（釣り人が多い）のかを、容易に判定することができる。
【００６７】
さらにまた、その販売されている件数（釣り人の数）の表示は、図４のように、少なくとも鮎で行うことが好ましい。それは、鮎の場合、川が釣り場１０（産地）になり、その生息している川（食料となる苔）によって、味が大きく異なるためである。このように都道府県別の件数（釣り人の人気）を表示することで、顧客の産地選択に有効である。
【００６８】
上述の説明は、既に釣り上げられた魚を商品としているが、これから釣り上げられる、或いは釣り上げてもらう魚を商品としてもよい。つまり、商品の予約である。詳しくは、顧客は、第２の端末装置３からサーバ２へ、少なくとも魚種、数量、購入予定日および希望価格の情報を入力して、所望する魚の予約を行っておくことが可能になり、第１の端末装置１、すなわち釣り人側から予約を満たす釣果１１がアップされると、サーバ２は、第２の端末装置３、すなわち顧客側に報知する。
【００６９】
そうすることで、たとえば飲食店が目玉商品に用いるために予約を入れておいたり、個人の顧客が来客などのために仕入れをしたり、或いは個人の顧客が初物を所望したりする等の需要に答えることができ、システムの利便性を向上することができる。また、釣り人にとっては、確実に売れる目処があるので、釣りをする動機付けになる。
【００７０】
上述の例は一例に過ぎず、顧客の商品選択の画面等は、適宜工夫することができる。たとえば、魚種に限らず、漁港や川から選択できたり、最初は海水と淡水とで選択したり、販売価格から選択したりなどである。販売価格は、たとえば豊漁で、通常よりお買い得な商品から並べる等である。
【００７１】
また好ましくは、第２の端末装置３、すなわち顧客が、第１の端末装置１、すなわち釣り人の評価を行い、図２の参照符号１６ａ，１６ｂ，１６ｃで示すように、サーバ２がその評価を公開することで、購入を考えている他の顧客の参考となり、好適である。また好ましくは、サーバ２は、釣り人毎の売り上げ数および／または金額の集計結果、ならびに魚種毎の売り上げを、ランキング形式で公開することで、それらを信頼度の指標とすることができる。
【００７２】
一方、釣り人側の入力画面では、釣り人が第１の端末装置１に入力を開始すると、サーバ２は、値付けの際に参考となる現在の平均価格を提示することが好ましい。
【符号の説明】
【００７３】
１ａ，１ｂ，１ｃ    第１の端末装置
１０ａ，１０ｂ，１０ｃ    釣り場
１１ａ，１１ｂ，１１ｃ    釣魚
１２ａ，１２ｂ，１２ｃ    写真
１３ａ，１３ｂ，１３ｃ    画面
１４ａ，１４ｂ，１４ｃ    釦
２    サーバ
２０    サービス提供会社
３ａ，３ｂ，３ｃ，３ｄ    第２の端末装置
４    ネットワーク
【図１】
2018014016.tif 000003
【図２】
2018014016.tif 000004
【図３】
2018014016.tif 000005
【図４】
2018014016.tif 000006